(57)【要約】【課題】洗浄品の洗浄を行うとともに手肌への化粧効果をもたらす化粧品原料でできた洗剤を提供すること。【解決手段】本発明の化粧品原料でできた洗剤１は、少なくとも保湿剤１０ａと美白剤１０ｂとを有する化粧剤１０を含むとともに、洗浄力をもつ化粧剤２０をも含むこととし、保湿剤１０ａは、植物由来保湿成分、動物由来保湿成分、化学物質保湿成分を含むこととし、美白剤１０ｂは、植物由来美白成分、動物由来美白成分、化学物質美白成分を含むこととした。【選択図】図１
2008115227.tif 000002
【特許請求の範囲】
【請求項１】
少なくとも保湿剤と美白剤とを有する化粧剤を含むとともに、洗浄力をもつ化粧剤をも含むことを特徴とする化粧品原料でできた洗剤。
【請求項２】
少なくとも保湿剤と美白剤とを有する化粧剤を含むとともに、予め定めた成分を有する洗剤をも含むことを特徴とする化粧品原料でできた洗剤。
【請求項３】
前記保湿剤は、植物由来保湿成分、動物由来保湿成分、化学物質保湿成分の少なくとも１つの成分を含むことを特徴とする請求項１または２に記載の化粧品原料でできた洗剤。
【請求項４】
前記美白剤は、植物由来美白成分、動物由来美白成分、化学物質美白成分の少なくとも１つの成分を含むことを特徴とする請求項１または２に記載の化粧品原料でできた洗剤。
【請求項５】
前記化粧剤は、前記保湿剤と前記美白剤に加え、保水剤、抗菌剤、抗酸化剤、消炎剤、潤い剤、植物油、柔軟剤の少なくとも１つの成分を含むことを特徴とする請求項１または２に記載の化粧品原料でできた洗剤。
【請求項６】
前記化粧剤は、補助剤として、洗浄汚れ取剤、除菌消臭剤、安定化剤、着色剤、防腐剤、洗浄剤、香料、洗浄助剤、気泡剤の少なくとも１つを含むことを特徴とする請求項１または２に記載の化粧品原料でできた洗剤。
【請求項７】
前記洗剤力をもつ化粧剤は、植物油、陰イオン界面活性剤、非イオン界面活性剤、両性界面活性剤、陽イオン界面活性剤、助剤、添加剤、洗浄助剤、溶剤、研磨剤、洗浄剤の少なくとも１つを含むことを特徴とする請求項１に記載の化粧品原料でできた洗剤。
【請求項８】
前記予め定めた成分を有する洗剤は、アルカリ性洗剤、中性洗剤、または酸性洗剤を含むことを特徴とする請求項２に記載の化粧品原料でできた洗剤。
【発明の詳細な説明】
【技術分野】
【０００１】
本発明は、洗浄品の洗浄を行えるとともに手肌への化粧効果をもたらす化粧品原料でできた洗剤に関する。
【背景技術】
【０００２】
従来、食器や風呂などの汚れた洗浄品は、中性洗剤により洗浄が行われ、汚れた洗浄品の洗浄を行った後に手肌のあれを防ぎ美肌を保つために、化粧品を手肌につけることが行われている。中性洗剤は、一般家庭で広く使用されており、例えば、特許文献１に示すものがあり、手肌につける化粧品についても、一般家庭で広く使用されており、例えば、特許文献２に示すものがある。
【０００３】
しかしながら、中性洗剤は、食器や風呂などの汚れた洗浄品の洗浄を行うことができるが、汚れた洗浄品の洗浄を行った後には、化粧品を手肌につけ、手肌のあれを防ぎ美肌を保つことが行われており、２度の手入れをしなければならず、手間がかかって煩わしいという問題があった。
【０００４】
【特許文献１】特開２００１−３４２５００号公報
【特許文献２】特開２００５−２５５６６８号公報
【発明の開示】
【発明が解決しようとする課題】
【０００５】
本発明は、上記の問題に鑑みてなされたものであって、洗浄品の洗浄を行えるとともに手肌への化粧効果をもたらす化粧品原料でできた洗剤を提供することを目的とする。
【課題を解決するための手段】
【０００６】
本発明の化粧品原料でできた洗剤は、すくなくとも保湿剤と美白剤とを有する化粧剤を含むとともに、洗浄力をもつ化粧剤をも含むこととした。
【０００７】
また、本発明の化粧品原料でできた洗剤は、すくなくとも保湿剤と美白剤とを有する化粧剤を含むとともに、予め定めた成分を有する洗剤をも含むこととした。
【０００８】
また、前記保湿剤は、植物由来保湿成分、動物由来保湿成分、化学物質保湿成分の少なくとも１つの成分を含むこととした。
【０００９】
また、前記美白剤は、植物由来美白成分、動物由来美白成分、化学物質美白成分の少なくとも１つの成分を含むこととした。
【００１０】
また、前記化粧剤は、前記保湿剤と前記美白剤に加え、保水剤、抗菌剤、抗酸化剤、消炎剤、潤い剤、植物油、柔軟剤の少なくとも１つの成分を含むこととした。
【００１１】
また、前記化粧剤は、補助剤として、洗浄汚れ取剤、除菌消臭剤、安定化剤、着色剤、防腐剤、洗浄剤、香料、洗浄助剤、気泡剤の少なくとも１つを含むこととした。
【００１２】
また、前記洗剤力をもつ化粧剤は、植物油、陰イオン界面活性剤、非イオン界面活性剤、両性界面活性剤、陽イオン界面活性剤、助剤、添加剤、洗浄助剤、溶剤、研磨剤、洗浄剤の少なくとも１つを含むこととした。
【００１３】
さらに、前記予め定めた成分を有する洗剤は、アルカリ性洗剤、中性洗剤、または酸性洗剤を含むこととした。
【発明の効果】
【００１４】
本発明の化粧品原料でできた洗剤は、すくなくとも保湿剤と美白剤とを有する化粧剤を含むとともに、洗浄力をもつ化粧剤をも含むこととしたため、洗浄品の洗浄を行うとともに手肌への化粧効果をもたらすことができる。
【００１５】
また、本発明の化粧品原料でできた洗剤は、すくなくとも保湿剤と美白剤とを有する化粧剤を含むとともに、予め定めた成分を有する洗剤をも含むこととしたため、洗浄品の洗浄を行うとともに手肌への化粧効果をもたらすことができる。
【００１６】
また、前記保湿剤は、植物由来保湿成分、動物由来保湿成分、化学物質保湿成分の少なくとも１つの成分を含むこととしたため、効果的に化粧効果を持つことができる。
【００１７】
また、前記美白剤は、植物由来美白成分、動物由来美白成分、化学物質美白成分の少なくとも１つの成分を含むこととしたため、効果的に化粧効果を持つことができる。
【００１８】
また、前記化粧剤は、前記保湿剤と前記美白剤に加え、保水剤、抗菌剤、抗酸化剤、消炎剤、潤い剤、植物油、柔軟剤の少なくとも１つの成分を含むこととしたため、各成分剤に応じた化粧効果を持つことができる。
【００１９】
また、前記化粧剤は、補助剤として、洗浄汚れ取剤、除菌消臭剤、安定化剤、着色剤、防腐剤、洗浄剤、香料、洗浄助剤、気泡剤の少なくとも１つを含むこととしたため、補助的に化粧効果を高めることができる。
【００２０】
また、前記洗剤力をもつ化粧剤は、植物油、陰イオン界面活性剤、非イオン界面活性剤、両性界面活性剤、陽イオン界面活性剤、助剤、添加剤、洗浄助剤、溶剤、研磨剤、洗浄剤の少なくとも１つを含むこととしたため、優れた洗浄効果で洗浄を行うことができる。
【００２１】
さらに、前記予め定めた成分を有する洗剤は、アルカリ性洗剤、中性洗剤、または酸性洗剤を含むこととしたため、優れた洗浄効果で洗浄を行うことができる。
【発明を実施するための最良の形態】
【００２２】
以下、本発明の実施の形態の化粧品原料でできた洗剤につき説明する。
【実施例１】
【００２３】
図１は、本発明の第１の実施の形態の化粧品原料でできた洗剤の構成図を示す。
【００２４】
図１に示すように、本発明の第１の実施の形態の化粧品原料でできた洗剤１は、化粧剤１０と、洗浄力をもつ化粧剤２０とで構成されている。
【００２５】
化粧剤１０は、保湿剤１０ａと美白剤１０ｂとを含み、保水剤１０ｃ、抗菌剤１０ｄ、抗酸化剤１０ｅ、消炎剤１０ｆ、潤い剤１０ｇ、植物油１０ｈ、柔軟剤１０ｉとを単独または組合せたものを含む。さらに、補助剤１１を含ますこともできる。
【００２６】
そのため、化粧品原料でできた洗剤１により、食器や風呂などの汚れた洗浄品２を洗浄力をもつ化粧剤２０により洗浄を行うことができるとともに、化粧剤１０により化粧効果を得ることができる。
【００２７】
表１は、本発明の第１の実施の形態の化粧品原料でできた洗剤における化粧剤の構成をさらに詳細に示し、表２は、本発明の第１の実施の形態の化粧品原料でできた洗剤における洗浄力を持つ化粧剤の構成をさらに詳細に示す。
【００２８】
本発明の実施の形態の第１の化粧品原料でできた洗剤は、表１に示す化粧剤１０と、表２に示す洗浄力をもつ化粧剤２０とで構成されている。
【００２９】
化粧剤１０は、保湿剤１０ａと美白剤１０ｂを有する。保湿剤１０ａは、オリーブやホホバなどの植物由来保湿成分と、胎盤エキスなどの動物由来保湿成分と、コラーゲンなどの化学物質保湿成分を含み、またこれらを選択して含ませることもでき、保湿などの化粧効果を持つ。美白剤１０ｂは、ローズヒップなどの植物由来美白成分と、酵母などの動物由来美白成分と、ビタミンＣやヒアルロン酸などの化学物質美白成分を含み、美白などの化粧効果を持つ。
【００３０】
化粧剤１０は、保湿剤１０ａと美白剤１０ｂとに加え、ポリグルタミン酸などを含む保水剤１０ｃ、銀などを含む抗菌剤１０ｄ、酢酸トコフェロールなどを含む抗酸化剤１０ｅ、グリチルリチン酸ジカリウムなどを含む消炎剤１０ｆ、オリーブ油などを含む潤い剤１０ｇ、オレンジ油などを含む植物油１０ｈ、グリセリンなどを含む柔軟剤１０ｉなどの成分を含み、またこれらを選択して含ませることもでき、各成分剤に応じた化粧効果を持つことができる。また、化粧剤１０は、ＭＰＧ顆粒などを含む洗浄汚れ取剤１１ａ、チャカテキンなどを含む除菌消臭剤１１ｂ、クエン酸などを含む安定化剤１１ｃ、モンモリロナイトなどを含む着色剤１１ｄ、パラベンなどを含む防腐剤１１ｅ、ポリオキシエチレンラウリル硫酸ナトリウムなどを含む洗浄剤１１ｆ、グレープフルーツ果皮油などを含む香料１１ｇ、オレフィン（ｃ−１４−１６）スルフォン酸ナトリウムなどを含む洗浄助剤１１ｈ、ヤシ油脂肪酸ジエタノールアミドなどを含む気泡剤１１ｉなどの補助剤１１を含ますことができ、さらに化粧効果を高めることができる。
【００３１】
洗浄力をもつ化粧剤２０は、パパイン・ヤシ油などを含む植物油２０ａ、ラウロイルサルコンシンナトリウム、ラウロイルメチルアラニンナトリウムなどを含む陰イオン界面活性剤２０ｂ、ステアラミドＤＥＡなどを含む非イオン界面活性剤２０ｃ、塩酸アリキルジアミノエチルグリシン液などを含む両性界面活性剤２０ｄ、塩化ステアリルジメチルベンジルアンモニウムなどを含む陽イオン界面活性剤２０ｅ、セージエキスなどを含む助剤２０ｆ、セルロースガムなどを含む添加剤２０ｇ、ラウリン酸カリウムなどの成分剤を含む洗浄助剤２０ｈ、水酸化ナトリウムなどを含む溶剤２０ｉ、ポリエチレンなどを含む研磨剤２０ｊ、ココイルグルタミン酸トリエタノールアミンなどの成分剤を含む洗浄剤２０ｋなどを含み、洗浄効果に優れ、食器や風呂などの汚れた洗浄品の洗浄を行うことができる。なお、これらの成分剤は、単独または組合せて含ますことができる。
【００３２】
食器や風呂などの汚れた洗浄品の洗浄を行うときには、本発明の第１の実施の形態の化粧品原料でできた洗剤により洗浄を行うことができ、そのとき化粧剤が含まれているため、汚れた洗浄品の洗浄を行った後に手肌のあれを防ぎ美肌を保つことができる。
【実施例２】
【００３３】
本発明の第２の実施の形態の化粧品原料でできた洗剤は、化粧剤１０と、洗剤３０とで構成する。
【００３４】
第２の実施の形態の化粧品原料でできた洗剤の化粧剤１０は、第１の実施の形態の化粧品原料でできた洗剤の化粧剤１０と同じものを使用し、美白などの化粧効果を持つ。
【００３５】
洗剤３０は、アルカリ性洗剤、中性洗剤、または酸性洗剤などの洗浄成分を含み、洗浄効果に優れ、食器や風呂などの汚れた洗浄品の洗浄を行うことができる。これらの洗浄成分は、単独または組合せて含ますことができる。
【００３６】
従って、第２の実施の形態の化粧品原料でできた洗剤は、第１の実施の形態の化粧品原料でできた洗剤と同様に、汚れた洗浄品の洗浄を行った後に手肌のあれを防ぎ美肌を保つことができる。
【００３７】
なお、本発明の第１、第２の実施の形態の化粧品原料でできた洗剤は、毛髪の洗髪や、身体・顔などの洗浄にも使用することができ、洗髪や、顔・身体の洗浄とともに化粧効果を得ることができる。
【００３８】
また、本発明の第１、第２の実施の形態の化粧原料でできた洗剤は、液状、ペースト状、固形などの形態にすることができ、また、液状にして容器に充填し泡を吐出させて使用することもできる。
【００３９】
さらに、本発明の第１、第２の実施の形態の化粧品原料でできた洗剤は、１回の洗浄に必要とする洗浄力の有する化粧剤２０または洗剤３０の適量と、１回の化粧に必要とする化粧剤１０の適量とがあり、この適量の比率を基に、化粧剤１０と洗浄力をもつ化粧剤２０との比率を決ることができる。
【００４０】
【表１】
2008115227.tif 000003
【００４１】
【表２】
2008115227.tif 000004
【図面の簡単な説明】
【００４２】
【図１】本発明の化粧品原料でできた洗剤の構成図を示す。
【符号の説明】
【００４３】
１  化粧品原料でできた洗剤
１０    化粧剤
１０ａ  保湿剤
１０ｂ  美白剤
１０ｃ  保水剤
１０ｄ  抗菌剤
１０ｅ  抗酸化剤
１０ｆ  消炎剤
１０ｇ  潤い剤
１０ｈ  植物油
１０ｉ  柔軟剤
１１  補助剤
１１ａ  洗浄汚れ取剤
１１ｂ  除菌消臭剤
１１ｃ  安定化剤
１１ｄ  着色剤
１１ｅ  防腐剤
１１ｆ  洗浄剤
１１ｇ  香料
１１ｈ  洗浄助剤
１１ｉ  気泡剤
２０  洗浄力をもつ化粧剤
２０ａ  植物油
２０ｂ  陰イオン界面活性剤
２０ｃ  非イオン界面活性剤
２０ｄ  両性界面活性剤
２０ｅ  陽イオン界面活性剤
２０ｆ  助剤
２０ｇ  添加剤
２０ｈ  洗浄助剤
２０ｉ  溶剤
２０ｊ  研磨剤
２０ｋ  洗浄剤
【図１】
2008115227.tif 000005